(57)【要約】      （修正有）【課題】階段の踏面に凹凸があっても、ネジにより適正に取り付けることができ、また、長期の使用により滑り止め部の表面が摩耗して、滑り止めの機能が低下してきたら容易に補修することができる階段用滑り止め部材を提供する。【解決手段】金属板材２に滑り止め部３が設けられてなり、階段の踏面の前端角部に沿わせて固定される階段用滑り止め部材１であって、金属板材２は、前垂れ部４と、該前垂れ部４に略直角に連続する踏部を有して略Ｌ字状に成形され、踏部は、長手方向に沿って中央に溝部が成形されるとともに、溝部の開口端縁の前側に前垂れ部４に略直角に連続する所定幅の水平な前縁部７、後側に下がり傾斜した後縁部８が成形され、溝部は、珪砂を混合した塗装を施して滑り止め部３に形成され、溝部の裏面にシート状のクッション材１３が取り付けられている構成とした。【選択図】図１
0003145471.tif 000002
【実用新案登録請求の範囲】
【請求項１】
金属板材に滑り止め部が設けられてなり、階段の踏面の前端角部に沿わせて固定される階段用滑り止め部材であって、特に視力障害者が階段の段差を視認できる配慮から、
前記金属板材は、前垂れ部と、該前垂れ部に略直角に連続する踏部を有して略Ｌ字状に成形され、前記踏部は、長手方向に沿って中央に溝部が成形されるとともに、前記溝部の開口端縁の前側に前記前垂れ部に略直角に連続する所定幅の水平な前縁部、後側に下がり傾斜した後縁部が成形され、前記溝部は、珪砂を混合した塗装を施して前記滑り止め部に形成され、前記溝部の裏面にシート状のクッション材が取り付けられていることを特徴とする階段用滑り止め部材。
【請求項２】
前記金属板材は、視力障害者の視認性を配慮したことから、黒と黄色で塗装され、前記滑り止め部は上面に珪砂を混合した黄色の塗装が設けられている請求項１に記載の階段用滑り止め部材。
【考案の詳細な説明】
【技術分野】
【０００１】
本考案は、階段の踏面の端部に設ける階段用滑り止め部材に係り、特に、視覚障害者や視力低下を持った人たちや、弱視の人が認識しやすい階段用滑り止め部材に関するものである。
【背景技術】
【０００２】
従来、屋内又は屋外に設けられた階段の各踏面は、縁部に階段用滑り止め部材が設置され視覚障害者に触覚的手がかりを提供するとともに弱視の人たちにも視覚的に利用しやすいものとなっている。
【０００３】
この種の階段用滑り止め部材としては、合成樹脂を押し出し成型して形成される長尺の成型品を所定長さにカットして嵌合枠に嵌合した状態で階段の踏面の端部に取り付けられるものがあるが、合成樹脂製の滑り止め部材は経時的収縮が激しいので、数年もしない間に端部に間隙が生じてしまう欠点がある。
【０００４】
近年、このような経時的収縮を著しく小さくした合成樹脂製の滑り止め部材が提案されるようになってきた。例えば、内部にガラス繊維を芯材として配置した階段用滑り止め部材として、階段の踏面の端部に固定ねじをもって固定される金台枠に嵌合される合成樹脂製の滑り止め本体と、この滑り止め本体に埋設されるガラス繊維製の収縮防止用芯糸とからなる階段用滑り止め部材が知られている。この階段用滑り止め部材は、合成樹脂製の滑り止め本体にガラス繊維を芯材として配置することで、引っ張り強度を高めるとともに経時的収縮を著しく小さくしたものである。
【特許文献１】特開２００５−１５５１８５号公報
【０００５】
前記特許文献１に記載されている階段用滑り止め部材は、上部から金台枠に合成樹脂製の滑り止め本体を嵌合する構造であり、滑り止め本体が金台枠から外れないように金台枠に接着、又は強固に嵌合される等して取り付けられている。
【考案の開示】
【考案が解決しようとする課題】
【０００６】
階段用滑り止め部材は、靴で踏まれたり、傘や杖等で押されたりして滑り止め本体の表面が摩耗していくので、多年に亘って使用されると滑り止めとしての機能が失われてしまう。そのため摩耗状態に応じて一定の期間が経過したら新しいものに交換する必要がある。また、前記階段用滑り止め部材は、金台枠をコンクリート製の階段の踏面の端部にネジにより直接固定される場合がある。
【０００７】
このような場合、踏面に凹凸があるとネジを強く締め付けしまい階段の踏面を形成するコンクリートが損傷してしまう虞があるので、踏面に凹凸があるとコンクリートを水平に補修する作業が必要である。このようなコンクリートを水平に補修する作業は時間を要し改善が望まれていた。
【０００８】
本考案は、階段の踏面に凹凸があっても、そのままの状態で、滑り止め材を階段の踏面にネジにより適正に取り付けることができ、また、長期の使用により滑り止め部の表面が摩耗して、滑り止めの機能が低下してきたら容易に補修することが出来る階段用滑り止め部材を提供することを目的とする。
【課題を解決するための手段】
【０００９】
本願の請求項１に記載の考案は、金属板材に滑り止め部が設けられてなり、階段の踏面の前端角部に沿わせて固定される階段用滑り止め部材であって、特に視力障害者が階段の段差を視認できる配慮から、前記金属板材は、前垂れ部と、該前垂れ部に略直角に連続する踏部を有して略Ｌ字状に成形され、前記踏部は、長手方向に沿って中央に溝部が成形されるとともに、前記溝部の開口端縁の前側に前記前垂れ部に略直角に連続する所定幅の水平な前縁部、後側に下がり傾斜した後縁部が成形され、前記溝部は、珪砂を混合した塗装を施して前記滑り止め部に形成され、前記溝部の裏面にシート状のクッション材が取り付けられていることを特徴とする階段用滑り止め部材である。
【００１０】
また、請求項２に記載の考案は、前記金属板材は、視力障害者の視認性を配慮したことから、黒と黄色で塗装され、前記滑り止め部は上面に珪砂を混合した黄色の塗装が設けられている請求項１に記載の階段用滑り止め部材である。
【考案の効果】
【００１１】
本考案の階段用滑り止め部材は、階段の踏面に凹凸があっても、ネジにより適正に設置することができ、また、長期の使用により滑り止めの機能が低下してきたら容易に補修することができる。
【考案を実施するための最良の形態】
【００１２】
以下に本考案の実施例を図面に基づいて説明する。
【実施例１】
【００１３】
図１は本考案の実施例１の斜視図、図２は実施例１の平面図、図３は同正面図、図４は同底面図、図５は図２のＡ−Ａ線拡大断面図、図６は実施例１の使用例を示す斜視図である。なお、図５では、想像線により階段の踏み面への取り付け状態を示してある。
【００１４】
階段用滑り止め部材１は、階段１０の踏み面１１の前端の角部１２に沿わせて固定され、略Ｌ字状の金属板材２に、滑り止め部３が設けられたものである。金属板材２は、前垂れ部４と、この前垂れ部４に略直角に連続する踏部５を有して略Ｌ字状に成形されている。踏部５は、例えば、プレス加工により長手方向に沿って中央に浅い水平な底面６ａを有する溝部６が成形されて、溝部６の開口端縁の前側が、前垂れ部４に略直角に連続する所定幅の水平な前縁部７となっており、また、溝部６の開口端縁の後側が、前縁部７と略同じ高さ位置から下がり傾斜した後縁部８となっている。後縁部８には、長手方向に間隔を空けて複数（図では２個）のネジ穴８ａが設けられている。
【００１５】
金属板材２は、全体が黒く塗装され、踏部５の長手方向に沿う中央に滑り止め部３が形成されている。滑り止め部３は、溝部６に珪砂を混合した黄色いウレタン系の塗料が塗装されて形成されている。滑り止め部３において、ネジ穴３ａが長手方向の両端近傍に対向して１個づつ設けられている。また、溝部６の裏面６ｂには階段１０の踏面１１への取り付け部としてシート状のクッション材１３が取り付けられている。
【００１６】
次に、階段用滑り止め部材１を例えば、駅のコンクリート製の階段１０に設置する場合、図５を参照して説明する。階段用滑り止め部材１は、コンクリート製の階段１０の踏面１１にシート状のクッション材１３を下にして踏部５を載置し、階段１０の蹴上げ部を構成する鉛直面１２ａに前垂れ部４を当接させて、前端角部１２に沿わせて配置し、ネジ穴３ａ，８ａを利用してネジ９により固定する。この場合、階段１０の踏面１１に凹凸があっても、クッション材１３が踏面１１との間の隙間を塞ぐので、踏面１１の凹凸に影響されず、ネジ９によりそのまま固定することができる。
【００１７】
複数の階段用滑り止め部材１は、１０の各踏面１１の端部から所定距離離間してそれぞれ固定する。また、シート状のクッション材１３は、階段１０を上り下りする歩行者が滑り止め部材１上を通過するときに、歩行者の足への衝撃を和らげるとともに滑り止め部材１の振動を吸収して騒音の発生をも抑制する。
【００１８】
また、階段用滑り止め部材１は、周りを黒い枠で囲んであるので、目立つ為視覚障害者が滑りにくい位置を選んで安全に歩行することができる。また、珪砂を混合した黄色いウレタン系の塗料により形成された滑り止め部３は、杖を押し当てると滑りにくく安全であり、また、長期の使用により表面が摩耗して滑り止め部３の機能が低下してきたら、摩耗した滑り止め部３の上から、再度、珪砂を混合した塗装を施すことで容易に補修することができる。
【図面の簡単な説明】
【００１９】
【図１】実施例１の斜視図である。
【図２】実施例１の平面図である。
【図３】実施例１の正面図である。
【図４】実施例１の底面図である。
【図５】図２のＡ−Ａ線拡大断面図である。
【図６】実施例１の使用例を示す斜視図である。
【符号の説明】
【００２０】
１  階段用滑り止め部材
２  金属板材
３  滑り止め部
３ａ，８ａ  ネジ穴
４  前垂れ部
５  踏部
６  溝部
６ａ  底面
６ｂ  裏面
７  前縁部
８  後縁部
９  ネジ
１０  階段
１１  踏み面
１２  前端の角部
１３  クッション材
【図１】
0003145471.tif 000003
【図２】
0003145471.tif 000004
【図３】
0003145471.tif 000005
【図４】
0003145471.tif 000006
【図５】
0003145471.tif 000007
【図６】
0003145471.tif 000008